(57)【特許請求の範囲】
【請求項１】
身頃と、前記身頃の袖ぐりに連結されている、前袖パーツ及び後袖パーツを含む袖とを有する上衣であって、
前記後袖パーツが、突出部を有する略くの字型の形状を有し、そして着用者が腕を上げた際に、前記突出部が着用者の背面側を向き且つ前記後袖パーツの身頃側の領域が着用者の棘下筋及び大円筋を覆うように配置されるとともに、前記前袖パーツの両側縁が、前記後袖パーツの両側縁と連結されることにより、前記袖が前記袖ぐりから前方に延びており、そして
前記前袖パーツの袖山の頂部が、着用者の肩甲骨の肩峰よりも身体側にあること、
を特徴とする、前記上衣。
【請求項２】
前記前袖パーツの袖山の高さが、３〜１０ｃｍである、請求項１に記載の上衣。
【請求項３】
前記突出部が、着用者が腕を上げた際に、着用者の棘下筋の内方且つ上方の隅部に位置するように配置されている、請求項１又は２に記載の上衣。
【請求項４】
前記後袖パーツの身頃側の領域が、着用者の棘下筋及び大円筋の輪郭に沿うように配置されている、請求項１〜３のいずれか一項に記載の上衣。
【請求項５】
前記突出部の角度が、１１５〜１３５°である、請求項１〜４のいずれか一項に記載の上衣。
【請求項６】
前記身頃が、前身頃パーツ及び後身頃パーツから成り、そして前記前身頃パーツと後身頃パーツとの連結部が、前記袖より下の領域において、着用者の背面に存在する、請求項１〜５のいずれか一項に記載の上衣。
【請求項７】
前記後袖パーツの、突出部を含む側縁と、前記前袖パーツの側縁との連結部の延長線上に、前記前身頃パーツと後身頃パーツとの、前記袖より下の領域の連結部が存在する、請求項６に記載の上衣。
【請求項８】
前記前袖パーツと後袖パーツとの連結部、並びに前記身頃の袖ぐりと、前記前袖パーツ及び後袖パーツとの連結部が、縫製部である、請求項１〜７のいずれか一項に記載の上衣。
【請求項９】
半袖、五分袖、七分袖、又は長袖を有する、請求項１〜８のいずれか一項に記載の上衣。
【請求項１０】
前記上衣が、スポーツ用上衣である、請求項１〜９のいずれか一項に記載の上衣。
【請求項１１】
テニス用上衣、バトミントン用上衣、バレーボール用上衣、バスケットボール用上衣、サッカー用上衣、ハンドボール用上衣、ラグビー用上衣、クライミング用上衣、及びトレーニング用上衣から成る群から選択される、請求項１〜９のいずれか一項に記載の上衣。
【発明の詳細な説明】
【技術分野】
【０００１】
本発明は、スポーツ用上衣に関する。本発明は、特に、体にフィットした状態で着用し、腕を上げる、腕を振る等の動作の多いスポーツに好適なスポーツ用上衣に関する。
【背景技術】
【０００２】
スポーツ用上衣、例えば、体にフィットした状態で着用し、そして腕を動かす動作の多い、テニス用ウェア、バドミントン用ウェア、バレーボール用ウェア等では、一般的な動作を想定して形成されたものが多く、体を大きく動かすことを想定していないものが多い。従って、腕を上げる、腕を振る等の動作を行った場合に、体の動きに上衣が追従できず、着用者の動きを阻害する場合が多かった。【０００３】
上記課題を解決するために、例えば、多数のパーツ、例えば、８以上のパーツを縫い合わせることによる、着用者の体の形状に沿った立体形状を有するウェアが提案されている（特許文献１及び２）。
また、上衣の脇下にマチ布等を加えることにより、脇下に余裕を持たせ、つっぱり感、引きつれ感等を減少させたスポーツ用衣服も提案されている（特許文献３）。
【先行技術文献】
【特許文献】
【０００４】
【特許文献１】特開２００５−２３４４７号
【特許文献２】特開２０１０−１３３０６１号
【特許文献３】特開２００５−３０７３６９号
【発明の概要】
【発明が解決しようとする課題】
【０００５】
しかし、特許文献１及び２に記載されるように、多数のパーツを縫い合わせることにより、ウェアに、身体の形状に沿った立体形状を付することができるが、縫製部は、一般的に、生地の伸長性を妨げる傾向がある。従って、当該ウェアは、立位ではフィットするものの、着用者の体の動き、特に腕の動きに追従することができず、体の動きを阻害する傾向がある。また、特許文献３に記載されるように、マチ布等を加えることにより、脇下に余裕が生じるので、脇下の生地のつっぱり感及び引きつれ感は減少するが、腕を上げた際に、肩部分の生地が浮き上がりやすい点、マチそのものにより衣服に余裕は生じるが、腕を上げた際に皮膚の伸びが大きい部分に、伸縮性の劣る縫製部が位置し、着用者の肩が圧迫される点等により依然腕を動かしにくい問題点がある。
従って、本発明は、着用者が腕を上げた際に、肩部分の生地が浮き上がりにくく、肩が生地により圧迫されにくく、そして脇下のつっぱり感及び引きつれ感が少ないスポーツ用上衣を提供することを目的とする。
【課題を解決するための手段】
【０００６】
本発明者らは、上記課題を解決するために鋭意検討した結果、身頃と、上記身頃の袖ぐりに連結されている、前袖パーツ及び後袖パーツを含む袖とを有するスポーツ用上衣であって、上記後袖パーツが、突出部を有する略くの字型の形状を有し、そして着用者が腕を上げた際に、上記突出部が着用者の背面側を向き且つ上記後袖パーツの身頃側の領域が着用者の棘下筋及び大円筋を覆うように配置されるとともに、上記前袖パーツの両側縁が、上記後袖パーツの両側縁と連結されることにより、上記袖が上記袖ぐりから前方に延びており、そして上記前袖パーツの袖山の頂部が、着用者の肩甲骨の肩峰よりも身体側にあることを特徴とするスポーツ用上衣を見出した。
【発明の効果】
【０００７】
本発明のスポーツ用上衣は、着用者が腕を上げた際に、肩部分の生地が浮き上がりにくく、肩が生地により圧迫されにくく、そして脇下のつっぱり感及び引きつれ感が少ない。
【図面の簡単な説明】
【０００８】
【図１】図１は、本発明のスポーツ用上衣の実施形態の１つの正面図である。
【図２】図２は、図１に示されるスポーツ用上衣１の背面図である。
【図３】図３は、本発明のスポーツ用上衣の実施形態の１つの左側面図である。
【図４】図４は、図１に示されるスポーツ用上衣１の袖２の展開図である。
【図５】図５は、後袖パーツを説明するための図である。
【図６】図６は、棘下筋を説明するための図である。
【図７】図７は、大円筋を説明するための図である。
【図８】図８は、後袖パーツの突出部を説明するための図である。
【図９】図９は、本発明のスポーツ用上衣を製造するための型紙の例である。
【図１０】図１０は、本発明のスポーツ用上衣の実施形態の１つを示す図である。
【図１１】図１１は、本発明のスポーツ用上衣の実施形態の１つを示す図である。
【図１２】図１２は、本発明のスポーツ用上衣の実施形態の１つを示す図である。
【図１３】図１３は、本発明のスポーツ用上衣の実施形態の１つを示す図である。
【図１４】図１４は、本発明のスポーツ用上衣の実施形態の１つを示す図である。
【図１５】図１５は、本発明のスポーツ用上衣の実施形態の１つを示す図である。
【図１６】図１６は、本発明のスポーツ用上衣の実施形態の１つを示す図である。
【図１７】図１７は、本発明のスポーツ用上衣の実施形態の１つを示す図である。
【発明を実施するための形態】
【０００９】
本発明のスポーツ用上衣について、以下、詳細に説明する。
図１は、本発明のスポーツ用上衣の実施形態の１つの正面図であり、女性用テニスウェアの例である。図１に示されるスポーツ用上衣１は、身頃５と、身頃５の袖ぐり８に連結されている、前袖パーツ３及び後袖パーツ４から成る袖２とを有する。図１に示されるスポーツ用上衣１では、前袖パーツ３の袖山の頂部９が、着用者の肩甲骨の肩峰よりも身体側にあるように設計されている。また、図１に示されるスポーツ用上衣１において、身頃５は、前身頃パーツ６及び後身頃パーツ７から成る。
【００１０】
図２は、図１に示されるスポーツ用上衣１の背面図である。図２に示されるスポーツ用上衣１は、身頃５と、身頃５の袖ぐり８に連結されている、前袖パーツ３及び後袖パーツ４から成る袖２とを有する。図２に示されるスポーツ用上衣１において、身頃５は、前身頃パーツ６及び後身頃パーツ７から成る。図２に示されるスポーツ用上衣１では、後袖パーツ４が、突出部１０を有する略くの字型の形状を有し、着用者が腕を上げた際に、突出部１０が着用者の背面側を向き且つ後袖パーツ４の身頃側の領域が着用者の棘下筋及び大円筋を覆うように配置されるとともに、前袖パーツ３の両側縁が、後袖パーツ４の両側縁と連結されている。
【００１１】
なお、本明細書において、着用者に関する「側面」は、着用者の脇の下方及び上方を意味し、「背面」は、着用者の後方のうち上記側面を除いた領域を意味し、そして「前面」は、着用者の前方のうち上記側面を除いた領域を意味する。
図１及び図２に示されるスポーツ用上衣１において、袖２が、身頃５の袖ぐり８から前方に延びている。
【００１２】
図３は、本発明のスポーツ用上衣の実施形態の１つの左側面図である。図３は、着用者が図１及び図２に示されるスポーツ用上衣１を着用し、左腕を上げた状態を表している。図３において、着用者は、省略されている。
なお、本明細書において、前方、上方及び後方は、着用者を基準とし、そして袖が身頃の袖ぐりから前方に延びているとは、袖が、身頃の袖ぐりから、着用者の前方に延びていることを意味し、当技術分野では、袖が「前振り」であるとも称される。
【００１３】
図４は、図１に示されるスポーツ用上衣１の袖２の展開図である。図４に示される袖２は、前袖パーツ３及び後袖パーツ４から成り、それらの、向かって上側の部分が身頃の袖ぐりに連結し、そしてそれらの、向かって下側の部分が袖口を形成する。
また、図４において、前袖パーツ３の、向かって左側及び右側の両側縁が、後袖パーツ４の、向かって左側及び右側の両側縁と連結されることにより、袖２が形成される。
なお、本明細書において、「袖口」は、袖の中で、着用者の上肢が出る部位を意味する。
【００１４】
本明細書では、前袖パーツに関して、身頃の袖ぐり側の端部を「内端」と称し、そして袖口側の端部を「外端」と称する。図４に基づいて説明すると、前袖パーツ３は、側縁３ａ、側縁３ｂ、内端３ｃ及び外端３ｄを有する。
また、本明細書において、前袖パーツの「袖山の高さ」は、袖を身頃に連結する袖付けにおいて山型になった部分の高さを意味し、図４にｈで示される高さを意味する。
なお、後袖パーツについては、各部位の名称を、図５に関連して説明する。
【００１５】
本発明のスポーツ用上衣において、袖は前袖パーツ及び後袖パーツの２つのパーツを含み、前袖パーツ及び後袖パーツが身頃の袖ぐりに連結されている限り、そのパーツ数は特に制限されず、前袖パーツ及び後袖パーツ以外の追加のパーツを含むことができる。また、本発明のスポーツ用上衣において、袖は、図４に示されるように、前袖パーツ及び後袖パーツの２つのパーツから成ることができる。さらに、本発明のスポーツ用上衣において、前袖パーツ及び／又は後袖パーツが、２つ以上のパーツから形成されることができる。
【００１６】
図５は、後袖パーツを説明するための図である。図５に示される後袖パーツ４において、向かって下側が身頃の袖ぐりに連結し、向かって上側が、袖口の一部を形成し、そして向かって左側が着用者の前方に相当し、そして向かって右側が着用者の後方に相当する。
図５に示される後袖パーツ４は、突出部１０を有し、そして突出部１０を含む側縁４ａと、突出部を含まない側縁４ｂと、身頃の袖ぐり側の内端４ｃと、袖口側の外端４ｄとを有する。また、突出部を含む側縁４ａは、突出部から身頃の袖ぐりにわたる側縁４ａ'と、突出部から袖口にわたる側縁４ａ''とに分けられる。
【００１７】
なお、図５に示される後袖パーツ４の側縁４ａが、図４に示される前袖パーツ３の側縁３ａに連結し、そして図５に示される後袖パーツ４の側縁４ｂが、図４に示される前袖パーツ３の側縁３ｂに連結することにより、袖が形成される。
【００１８】
図５に示される後袖パーツ４は、突出部１０が、着用者の背面を向き且つ後袖パーツの身頃側の領域１１が着用者の棘下筋及び大円筋を覆うように設計されている。
本発明のスポーツ用上衣の後袖パーツにおいて、身頃側の領域が着用者の棘下筋及び大円筋を覆うように設計することにより、着用者が腕を上げた際に筋肉の変化量が大きく且つ皮膚の伸長率の高い領域を避けて各パーツの連結部を配置することができるので、素材の伸びが阻害されにくい。その結果、着用者が腕を上げた際に、持ち上げられる脇下の素材の量が少なくなり、脇下のつっぱり感及び引きつれ感を少なくすることができる。また、後袖パーツの身頃側の領域が着用者の棘下筋及び大円筋を覆うように設計することにより、持ち上げられる脇下の素材の量が少なくなるので、腕を上げた際に、肩が生地により圧迫されにくく、そして着用者のお腹が露出されにくくなる。
【００１９】
本発明のスポーツ用上衣において、後袖パーツは、袖を前振りにするために、突出部を有し且つ略くの字型の形状を有するが、突出部を有しない側の側縁（図５における４ｂ）の形状は特に制限されず、突出部を有する側の側縁（図５における４ａ）と同一の形状及び略同一の形状を有することができ、そして略直線であってもよい。突出部を有しない側の側縁が略直線に近づくことにより、脇下に余裕を持たせることができる。
【００２０】
図６及び図７は、それぞれ、棘下筋及び大円筋を説明するための図であり、人体を背面側から観察した図である。図６に示される棘下筋２１は、肩甲骨２２の肩甲棘２３の下にある棘下窩２４から、上腕骨２５の大結節２６に連結する筋肉である。図７に示される大円筋２７は、肩甲骨２２の下角２８から、上腕骨２５の小結節稜２９に連結する筋肉である。
【００２１】
本発明のスポーツ用上衣では、後袖パーツは、突出部を有する略くの字型の形状を有し、着用者が腕を上げた際に、突出部が着用者の背面側を向き且つ後袖パーツの身頃側の領域が着用者の棘下筋及び大円筋を覆うように配置されている。すなわち、図５に示される後袖パーツ４において、後袖パーツの身頃側の領域１１は、着用者の棘下筋２１及び大円筋２７よりも外側を覆うように配置されてもよい（骨格及び筋肉の部位に関する符号は、図６及び図７を参照のこと、以下同様である）。
【００２２】
より好ましい実施形態では、後袖パーツの身頃側の領域が、着用者の棘下筋及び大円筋の輪郭に沿うように配置されている。すなわち、より好ましい実施形態では、図５に示される後袖パーツの身頃側の領域１１において、身頃の袖ぐり側の内端４ｃが、大円筋２７の下肢よりの端部２７'に相当し、側縁４ａ'が、棘下筋２１の、内方の端部２１'に相当し、側縁４ａ''が、棘下筋２１の、肩甲棘２３よりの端部２１''に相当し、そして突出部を含まない側縁４ｂは、通常の袖下に相当する。
なお、本明細書において、棘下筋に関する「内方」は、体の中心の方向を意味する。
【００２３】
本発明のスポーツ用上衣において、後袖パーツは、上述のように、身頃側の領域が、着用者の棘下筋及び大円筋の輪郭に沿うように設計されることが好ましいが、本発明のスポーツ用上衣において、後袖パーツは、着用者が腕を上げた際に筋肉の変化量が大きく且つ皮膚の伸長率の高い棘下筋及び大円筋を覆う形状を有していれば、その形状は特に制限されず、棘下筋及び大円筋よりも外側を覆うように設計されていてもよい。
【００２４】
本発明のスポーツ用上衣において、後袖パーツは、突出部が着用者の背面側を向くように配置されるので、袖を前振りにすることができる。
好ましい実施形態では、上記突出部は、着用者が腕を上げた際に、着用者の棘下筋の内方且つ上方の隅部２１'''に位置するように配置される。上記突出部が、着用者が腕を上げた際に、着用者の棘下筋の内方且つ上方の隅部に位置するように配置されるように配置されることにより、伸びにくい連結部の総量を少なくしながら、着用者が腕を上げた際に筋肉の変化量が大きく且つ皮膚の伸長率の高い領域を避けて連結部を配置することができる。
【００２５】
図８は、後袖パーツの突出部を説明するための図である。図８に示される後袖パーツ４において、向かって下側が身頃の袖ぐりに連結し、向かって上側が、袖口の一部を形成し、そして向かって左側が着用者の前方に相当し、そして向かって右側が着用者の後方に相当する。
図８（ａ）の後袖パーツ４の突出部１０の角度θを、図８（ｂ）の後袖パーツ４の突出部１０の角度θ'へと鋭角にすることにより、図８（ａ）よりも、袖を前振りにすることができる。
【００２６】
なお、本明細書において、後袖パーツの突出部の角度は、突出部から身頃側の側縁４ａ'と、突出部から袖口側の側縁４ａ''とにより形成される角度を意味する。
上記突出部の角度は、スポーツの種類によって変化しうるが、一般的には、約１１５°〜約１３５°であることが好ましい。上記角度が約１１５°を下回ると、袖が前振りになりすぎて、腕を真上に上げた際に脇下の布地が不足する場合があり、そして上記角度が約１３５°を上回ると、袖の前振りが不十分であり、腕を動かす際に後袖パーツにシワが出る場合がある。
【００２７】
本発明のスポーツ用上衣において、前袖パーツの袖山の頂部は、着用者の肩甲骨の肩峰よりも身体側にある。なお、肩峰は、図７において、符号３０で表される部分である。
前袖パーツの袖山の頂部が、着用者の肩甲骨の肩峰よりも身体側にあることにより、着用者が腕を上げた場合であっても、伸びにくい連結部が、着用者の肩の動きを阻害しにくい。また、前袖パーツの袖山の頂部が、着用者の肩甲骨の肩峰よりも身体側にあることにより、従来品よりも袖が上方を向く傾向があるため、着用者が腕を上げた際に肩の上部に引っかかり感が少なくなり、そして肩部分の生地が浮き上がりにくくなる。
【００２８】
以上のように、本発明のスポーツ用上衣は、左右の前袖パーツ及び後袖パーツと、身頃のパーツとの計５パーツから形成されることができ、そして身頃が、前身頃パーツ及び後身頃パーツの２パーツから成る場合には、計６パーツから形成されることができる。従って、本発明のスポーツ用上衣は、従来に比べて非常少ないパーツ数で、袖を、前方且つ上方に向けることができる、すなわち、着用者が腕を自然に上げた状態の立体形状を有することができる。少ない総パーツ数で、上記立体形状を形成することにより、素材の伸びを阻害しやすい連結部の量が少なくなるので、着用者の体の動きに追従しやすくなる。
その結果、本発明のスポーツ用上衣は、着用者が腕を上げた際に、肩部分の生地が浮き上がりにくく、肩が生地により圧迫されにくく、そして脇下のつっぱり感及び引きつれ感が少なくなる。
【００２９】
本発明のスポーツ用上衣において、袖山の高さを変化させることによっても、従来品よりも袖を上方に向けることができる。上記袖山の高さは、サイズ、例えば、子供用、成人用、例えば、男性用及び女性用等によって変化しうるが、例えば、成人用の場合には、約３ｃｍ〜約１０ｃｍであることが好ましい。上記袖山の高さが約３ｃｍを下回ると、袖が上方に向きすぎて、腕を降ろした際に、袖が袖口側に引っ張られる場合があり、そして約１０ｃｍを上回ると、腕を上げた際に、肩部分の生地が浮き上がる場合がある。
【００３０】
本発明のスポーツ用上衣では、従来のスポーツ用上衣、例えば、一枚袖のスポーツ用上衣と比較して、袖が袖ぐりから上方に延びていることが好ましく、袖が袖ぐりから上方に延びていることは、袖山の頂部の位置、袖山の高さ等によって達成することができる。
【００３１】
本発明のスポーツ用上衣において、身頃は、特に制限されず、任意のパーツ数、形状等を有することができるが、例えば、図１〜３に示されるように、前身頃パーツ及び後身頃パーツの２つのパーツから成ることができる。そして身頃が、前身頃パーツ及び後身頃パーツの２つのパーツから成る場合には、前身頃パーツ及び後身頃パーツの連結部の場所は特に制限されないが、例えば、袖より下の領域において、着用者の背面に存在することができる。
【００３２】
一般的に、腕を上げる等、体を動かす場合には、体の側面の伸びのほうが、背面の伸びよりも大きくなるため、伸びにくい連結部を、着用者の背面に設けることにより、運動の際、例えば、腕を上げた際に、素材の伸びがさらに阻害されにくくなり、脇下の素材を持ち上げる量がさらに少なくなる。その結果、脇下のつっぱり感及び引きつれ感がさらに少なくなる。腕を上げた際に、素材の伸びが阻害されにくく、脇下のつっぱり感及び引きつれ感が少なくなる利点は、本発明のスポーツ用上衣を、下衣、例えば、パンツの中に入れて運動する場合に特に顕著である。また、伸びにくい連結部を、着用者の背面に設けることにより、脇下の素材を持ち上げる量がさらに少なくなる結果、肩部分が生地によりより圧迫されにくくなり、そして着用者のお腹がより露出されにくくなる。
【００３３】
また、図２に示されるように、後袖パーツの、突出部を含む側縁と、前袖パーツの側縁との連結部の延長線上に、前身頃パーツと後身頃パーツとの、袖より下の領域の連結部が存在することもできる。
【００３４】
本発明のスポーツ用上衣において、その素材は、当技術分野で通常用いられているものであれば特に制限されずに採用することができ、例えば、丸編み、経編み、織物等が挙げられる。
【００３５】
本発明のスポーツ用上衣において、各パーツの連結部、例えば、前袖パーツと後袖パーツとの連結部、身頃部の袖ぐりと、前袖パーツ及び後袖パーツとの連結部、前身頃パーツ及び後身頃パーツの連結部等は、当技術分野で通常行われているものであれば、特に制限されずに採用することができ、例えば、縫製部、接着部、熱融着部等が挙げられる。
【００３６】
上記縫製部としては、特に制限されず、種々の縫製手段を用いて形成されたものが挙げられ、例えば、４本針フラットシーマ（両面飾り扁平縫いミシン）、２本針両面飾り扁平縫いミシン、３本針両面飾り扁平縫いミシンを用いて形成されたものが挙げられる。上記縫製部としては、例えば、フラットシームが挙げられる。フラットシームを用いると、各パーツの連結部の厚みを薄くし、且つ素材の伸びを妨げにくくすることができる。
【００３７】
本発明のスポーツ用上衣の形状としては、身体にフィットした状態で着用する上衣であって、袖を有するものであれば、特に制限されず、袖の長さとして、例えば、半袖、五分袖、七分袖、長袖等が挙げられる。
本発明のスポーツ用上衣の具体例としては、例えば、テニス用上衣、バトミントン用上衣、バレーボール用上衣、バスケットボール用上衣、サッカー用上衣、ハンドボール用上衣、ラグビー用上衣、クライミング用上衣、種目を問わないトレーニング用上衣等が挙げられる。
【００３８】
図９は、図１〜３に示される、テニスウェアとしての、本発明のスポーツ用上衣を製造するための型紙の例を示す。図９（ａ）、（ｂ）及び（ｃ）は、それぞれ、前身頃パーツ６、後身頃パーツ７、並びに左右の前袖パーツ３及び後袖パーツ４である。
次いで、図１０〜図１７に、本発明のスポーツ用上衣のさらなる実施形態を示す。
【００３９】
図１０は、本発明のスポーツ用上衣の実施形態の１つを示す図である。図１０（ａ）及び図１０（ｂ）は、それぞれ、正面図及び背面図である。図１０（ａ）及び（ｂ）に示されるスポーツ用上衣１は、身頃５と、身頃５の袖ぐり８に連結されている、前袖パーツ３及び後袖パーツ４から形成される袖２とを有する。図１０（ａ）及び図１０（ｂ）に示されるスポーツ用上衣１では、前袖パーツ３の袖山の頂部９が、着用者の肩甲骨の肩峰よりも身体側にあるように設計されている。また、図１０（ａ）及び図１０（ｂ）に示されるスポーツ用上衣１において、身頃５は、複数のパーツから構成される前身頃パーツ６と、複数のパーツから構成される後身頃パーツ７とを含む。
【００４０】
図１０（ａ）及び図１０（ｂ）に示されるスポーツ用上衣１では、後袖パーツ４が、突出部１０を有する略くの字型の形状を有し、着用者が腕を上げた際に、突出部１０が着用者の背面側を向き且つ後袖パーツ４の身頃側の領域が着用者の棘下筋及び大円筋を覆うように配置されている。図１０（ａ）及び図１０（ｂ）に示されるスポーツ用上衣１は、長袖を有する。図１０（ａ）及び図１０（ｂ）に示されるスポーツ用上衣１において、袖２は、おおよそ上腕部分において、前袖パーツ３の両側縁を後袖パーツ４の両側縁と連結することにより形成され、そしておおよそ前腕部分において、前袖パーツ３の両側縁同士を連結することにより形成されている。
【００４１】
図１０（ａ）及び図１０（ｂ）に示されるスポーツ用上衣１は、ラグラン型の袖（以下、「ラグラン袖」と称する）を有し、前袖パーツ３の一部が、襟ぐり３１に連結されている。図１０（ａ）に示されるスポーツ用上衣１は、その前面にファスナー３２を有し、着用者は、ファスナー３２を降ろして、スポーツ用上衣１を脱着することができる。
【００４２】
図１１は、本発明のスポーツ用上衣の実施形態の１つを示す図である。図１１（ａ）及び図１１（ｂ）は、それぞれ、正面図及び背面図である。図１１（ａ）及び図１１（ｂ）に示されるスポーツ用上衣１は、フード３３を有する以外は、図１０（ａ）及び図１０（ｂ）に示されるスポーツ用上衣１と同様の構成を有する。
【００４３】
図１２は、本発明のスポーツ用上衣の実施形態の１つを示す図である。図１２（ａ）及び図１２（ｂ）は、それぞれ、正面図及び背面図である。図１２（ａ）及び図１２（ｂ）に示されるスポーツ用上衣１は、半袖を有する以外は、図１０（ａ）及び図１０（ｂ）に示されるスポーツ用上衣１と同様の構成を有する。
【００４４】
図１３は、本発明のスポーツ用上衣の実施形態の１つを示す図である。図１３（ａ）及び図１３（ｂ）は、それぞれ、正面図及び背面図である。図１３（ａ）及び図１３（ｂ）に示されるスポーツ用上衣１は、図１０（ａ）及び図１０（ｂ）に示されるスポーツ用上衣１と同様の構成を有する。
【００４５】
図１４は、本発明のスポーツ用上衣の実施形態の１つを示す図である。図１４（ａ）及び図１４（ｂ）は、それぞれ、正面図及び背面図である。図１４（ａ）及び図１４（ｂ）に示されるスポーツ用上衣１は、前身頃パーツ６と、後身頃パーツ７との連結部が、スポーツ用上衣１のボトムライン３４に近づくほど、前面に近づく以外は、図１０及び図１３に示されるスポーツ用上衣１と同様の構成を有する。
【００４６】
図１５は、本発明のスポーツ用上衣の実施形態の１つを示す図である。図１５（ａ）及び図１５（ｂ）は、それぞれ、正面図及び背面図である。図１５（ａ）及び図１５（ｂ）に示されるスポーツ用上衣１において、袖２は、おおよそ上腕部分において、前袖パーツ３の両側縁を後袖パーツ４の両側縁と連結することにより形成され、そしておおよそ前腕部分において、前袖パーツ３の両側縁を、追加の袖パーツ３５の両側縁と連結することにより形成されている以外は、図１３（ａ）及び図１３（ｂ）に示されるスポーツ用上衣１と同様の構成を有する。
【００４７】
図１６は、本発明のスポーツ用上衣の実施形態の１つを示す図である。図１６（ａ）及び図１６（ｂ）は、それぞれ、正面図及び背面図である。図１６（ａ）及び図１６（ｂ）に示されるスポーツ用上衣１は、袖２の長手軸線と平行に、前袖パーツ３の上に取り付けられた、矩形の追加の袖パーツ３５を有する以外は、図１３（ａ）及び図１３（ｂ）に示されるスポーツ用上衣１と同様の構成を有する。
図１６に示されるスポーツ用上衣と同様の外観を有する、さらに別の実施形態では、矩形の追加の袖パーツ３５が、２つの前袖パーツ３の間で、２つの前袖パーツ３と連結されている。
【００４８】
図１７は、本発明のスポーツ用上衣の実施形態の１つを示す図である。図１７（ａ）及び図１７（ｂ）は、それぞれ、正面図及び背面図である。図１７（ａ）及び図１７（ｂ）に示されるスポーツ用上衣１において、前袖パーツ３は、前面側の前袖パーツ３'と、背面側の前袖パーツ３''との２つから形成され、前袖パーツ３'がラグラン袖の形状を有し、そして前袖パーツ３''がセットイン型の袖の形状を有する以外は、図１３（ａ）及び図１３（ｂ）に示されるスポーツ用上衣１と同様である。
【実施例】
【００４９】
以下、例を挙げて本発明を説明するが、本発明はこれらの例に限定されるものではない。
［製造例１］
図９に示される型紙を用いて、図１〜図３に示される、女性用のテニスウェア（Ｍサイズ）としてのシャツ１を製造した。丸編みの素材を、縫製により連結した。【００５０】
［製造例２］
製造例１と同一の素材を用いて、一般的なＴシャツの形状を有する、シャツ２を製造した。
また、比較用に、市販のハーフジップシャツ、ノーマルポロシャツ、機能的なカッティングが施されたポロシャツ（以下、「機能性ポロ」と称する）、及びＴシャツ（全てＭサイズ）を準備した。【００５１】
［例１］
女性の被験者１名の左腕の三角筋付近に、エイエムアイ・テクノ製  接触圧測定器（ＡＭＩ３０３７−１０・２０・５Ｓ）のセンサ３個を取り付けた。次いで、製造例１で製造されたシャツ１を、裾を出した状態で着用し、腕を下げた状態の着圧を測定した。次いで、腕を横方向に１４０°上げ、その状態における着圧を測定した。腕を下げた状態及び上げた状態において、それぞれ、５回測定を行い、計１５点の値の平均値を、測定値として採用した。
その他のシャツについても、同様に着圧を測定した。結果を下記表１にまとめる。【００５２】
【表１】
0005420086.tif 000002
【００５３】
［例２］
裾を下衣の中に入れ、裾を固定した状態で例１の実験を繰り返した。結果を下記表２にまとめる。【００５４】
【表２】
0005420086.tif 000003
【００５５】
シャツ１は、他のシャツと比較して、腕を上げた状態において、着圧が低かった。当該着圧の低さは、裾を下衣の中に入れ、裾を固定した状態において特に顕著であった。当該結果は、着用者が腕を上げた際に、肩が生地により圧迫されにくいことを実証するものと思われる。【００５６】
［例３］
腕上げ動作における、シャツの裾線の変化を評価した。女性の被験者１名に、例１及び例２で用いられたシャツを着用してもらい、腕を下げた起立状態における裾線の高さにマーキングをした。次いで、腕を横方向に１８０°（鉛直方向）に上げ、その状態における裾線の高さをマーキングし、裾線の高さの差を計測し、裾のずれ上がり量を評価した。５回の測定の平均値を、測定値として採用した。結果を、下記表３に示す。【００５７】
【表３】
0005420086.tif 000004
【００５８】
シャツ１は、他のシャツと比較して、腕を上げた状態において、裾のずれ上がり量が少なかった。当該裾のずれ上がり量の少なさは、脇下のつっぱり感及び引きつれ感が少ないことを実証するものと考えられる。【００５９】
また、複数の被験者に、シャツ１を着用してテニスをプレーしてもらったところ、腕を上げた際に、肩部分の生地が浮き上がりにくく、肩が生地により圧迫されにくく、そして脇下のつっぱり感及び引きつれ感が少ないとの感想を得た。【００６０】
具体的には、本発明は以下のＪ１〜Ｊ１０に関する。
［Ｊ１］
身頃と、上記身頃の袖ぐりに連結されている、前袖パーツ及び後袖パーツを含む袖とを有するスポーツ用上衣であって、
上記後袖パーツが、突出部を有する略くの字型の形状を有し、そして着用者が腕を上げた際に、上記突出部が着用者の背面側を向き且つ上記後袖パーツの身頃側の領域が着用者の棘下筋及び大円筋を覆うように配置されるとともに、上記前袖パーツの両側縁が、上記後袖パーツの両側縁と連結されることにより、上記袖が上記袖ぐりから前方に延びており、そして
上記前袖パーツの袖山の頂部が、着用者の肩甲骨の肩峰よりも身体側にあること、
を特徴とする、上記スポーツ用上衣。【００６１】
［Ｊ２］
上記前袖パーツの袖山の高さが、３〜１０ｃｍである、Ｊ１に記載のスポーツ用上衣。
［Ｊ３］
上記突出部が、着用者が腕を上げた際に、着用者の棘下筋の内方且つ上方の隅部に位置するように配置されている、Ｊ１又は２に記載のスポーツ用上衣。【００６２】
［Ｊ４］
上記後袖パーツの身頃側の領域が、着用者の棘下筋及び大円筋の輪郭に沿うように配置されている、Ｊ１〜３のいずれか一つに記載のスポーツ用上衣。
［Ｊ５］
上記突出部の角度が、１１５〜１３５°である、Ｊ１〜４のいずれか一つに記載のスポーツ用上衣。【００６３】
［Ｊ６］
上記身頃が、前身頃パーツ及び後身頃パーツから成り、そして上記前身頃パーツと後身頃パーツとの連結部が、上記袖より下の領域において、着用者の背面に存在する、Ｊ１〜５のいずれか一つに記載のスポーツ用上衣。
［Ｊ７］
上記後袖パーツの、突出部を含む側縁と、上記前袖パーツの側縁との連結部の延長線上に、上記前身頃パーツと後身頃パーツとの、上記袖より下の領域の連結部が存在する、Ｊ６に記載のスポーツ用上衣。【００６４】
［Ｊ８］
上記前袖パーツと後袖パーツとの連結部、並びに上記身頃の袖ぐりと、上記前袖パーツ及び後袖パーツとの連結部が、縫製部である、Ｊ１〜７のいずれか一つに記載のスポーツ用上衣。
［Ｊ９］
半袖、五分袖、七分袖、又は長袖を有する、Ｊ１〜８のいずれか一項に記載のスポーツ用上衣。【００６５】
［Ｊ１０］
テニス用上衣、バトミントン用上衣、バレーボール用上衣、バスケットボール用上衣、サッカー用上衣、ハンドボール用上衣、ラグビー用上衣、クライミング用上衣、及びトレーニング用上衣から成る群から選択される、Ｊ１〜９のいずれか一つに記載のスポーツ用上衣。
【符号の説明】
【００６６】
１    スポーツ用上衣
２    袖
３    前袖パーツ
４    後袖パーツ
５    身頃
６    前身頃パーツ
７    後身頃パーツ
８    袖ぐり
９    袖山の頂部
１０    突出部
１１    後袖パーツの身頃側の領域
２１    棘下筋
２２    肩甲骨
２３    肩甲棘
２４    棘下窩
２５    上腕骨
２６    大結節
２７    大円筋
２８    下角
２９    小結節稜
３０    肩峰
３１    襟ぐり
３２    ファスナー
３３    フード
３４    ボトムライン
３５    追加の袖パーツ
【図１】
0005420086.tif 000005
【図２】
0005420086.tif 000006
【図３】
0005420086.tif 000007
【図４】
0005420086.tif 000008
【図５】
0005420086.tif 000009
【図６】
0005420086.tif 000010
【図７】
0005420086.tif 000011
【図８】
0005420086.tif 000012
【図９】
0005420086.tif 000013
【図１０】
0005420086.tif 000014
【図１１】
0005420086.tif 000015
【図１２】
0005420086.tif 000016
【図１３】
0005420086.tif 000017
【図１４】
0005420086.tif 000018
【図１５】
0005420086.tif 000019
【図１６】
0005420086.tif 000020
【図１７】
0005420086.tif 000021